(57)【要約】      （修正有）【課題】デジタル顕微鏡の検査方法を提供する。【解決手段】物体を照明光で照明するステップと、照明された物体の第一のカラー画像を、第一の色域３３の色を記録するのに適したカラー画像センサによって記録するステップと、物体の第二のカラー画像を生成するステップであって、第二のカラー画像はピクセルを含み、その各々に第二の色域３７からの色が割り当てられるようなステップと、第二のカラー画像を、第二の色域の色をレンダリングするのに適した表示装置によって表現するステップと、を含み、第二のカラー画像を生成するステップは、第一のカラー画像の対応するピクセルの色に色変換関数を適用することによって、第二のカラー画像のピクセルにおける色を特定するステップを含み、色変換関数は、入力色４７を出力色４９にマッピングし、色変換関数は、第一の色域に属するが第二の色域には属さない入力色を第二の色域に属する出力色にマッピングする。【選択図】図５
2020118690.tif 000002
【特許請求の範囲】
【請求項１】
顕微鏡検査方法において、
物体（１０）を照明光（７）で照明し、前記物体（１０）中の蛍光色素を励起して蛍光を発光させるステップと、
前記照明された物体（１０）の第一のカラー画像を、第一の色域（３３）の色を記録するのに適したカラーイメージセンサ（１７）により記録するステップであって、前記第一のカラー画像はピクセルを含み、その各々に前記第一の色域（３３）からの色が割り当てられるようなステップと、
前記物体（１０）の第二のカラー画像を生成するステップであって、前記第二のカラー画像はピクセルを含み、その各々に第二の色域（３７）からの色が割り当てられるようなステップと、
前記第二のカラー画像を、前記第二の色域（３７）の色をレンダリングするのに適した表示装置（１９）により表現するステップと、
を含み、
前記第二のカラー画像を生成するステップは、
前記第二のカラー画像の前記ピクセルにおける色を、前記第一のカラー画像の対応する前記ピクセルの色に色変換関数を適用することによって特定するステップを含み、
前記色変換関数は、入力色（４７）を出力色（４９）にマッピングし、
前記色変換関数は、前記第一の色域（３３）に属するが前記第二の色域（３７）には属さない入力色（４７）を前記第二の色域（３７）に属する出力色（４９）にマッピングする、
顕微鏡検査方法。
【請求項２】
前記色変換関数は、前記入力色（４７）の第一の部分集合（５１）を前記出力色（４９）の第一の部分集合（５２）に色相保持型方式でマッピングし、色相保持型マッピングは、入力色を出力色に実質的に同じ色相でマッピングする、
請求項１に記載の顕微鏡検査方法。
【請求項３】
前記色相保持型マッピングは、入力色（４７）を出力色（４９）に、ＣＩＥ  １９７６  ＵＣＳ  ｕ’ｖ’色度図の前記出力色の色点が、所定の白色点（Ｗ）の色点と前記入力色の色点を通る直線（Ｇ３、Ｇ４、Ｇ５）から、２０Δｕ’ｖ’ ｌｉｍｉｔ以下、特に１０Δｕ’ｖ’ ｌｉｍｉｔ以下、又は３Δｕ’ｖ’ｌｉｍｉｔ以下の距離を有するようにマッピングし、Δｕ’ｖ’ ｌｉｍｉｔ＝０．００３が適用される、
請求項２に記載の顕微鏡検査方法。
【請求項４】
前記色相保持型マッピングはさらに、入力色（４７）を出力色（４９）に、ＣＩＥ  １９７６  ＵＣＳ  ｕ’ｖ’色度図内の前記出力色の色点が前記第二の色域（３７）の縁辺（３５）と前記直線（Ｇ３、Ｇ４、Ｇ５）の交点であるようにマッピングする、
請求項３に記載の顕微鏡検査方法。
【請求項５】
前記色変換関数は、少なくとも１つの入力色（５０）を色相保持型方式でマッピングし、前記入力色の色点は、ＣＩＥ  １９７６  ＵＣＳ  ｕ’ｖ’色度図において、４２５ｎｍ〜４６０ｎｍの波長のスペクトル色の色点から、０．２以下、特に０．１５以下、さらに特に０．１以下の距離を有する、請求項１〜４の何れか１項に記載の顕微鏡検査方法。
【請求項６】
前記色変換関数は、少なくとも１つの入力色（５０）を色相保持型方式でマッピングし、前記入力色の色点は、ＣＩＥ  １９７６  ＵＣＳ  ｕ’ｖ’色度図において、６３５ｎｍの波長のスペクトル色の色点から、０．２以下、特に０．１５以下、さらに特に０．１以下の距離を有する、請求項１〜５の何れか１項に記載の顕微鏡検査方法。
【請求項７】
前記色変換関数は、少なくとも１つの入力光（５０）を色相保持型方式でマッピングし、前記入力色は、４９５ｎｍ〜５７５ｎｍ、特に５１０ｎｍ〜５７０ｎｍ、さらに特に５４０ｎｍ〜５６５ｎｍの補色主波長を有する、請求項１〜６の何れか１項に記載の顕微鏡検査方法。
【請求項８】
前記色変換関数は、前記入力色（４７）の第二の部分集合（５３）を前記出力色（４９）の第二の部分集合（５４）にマッピングし、前記出力色（４９）の前記第二の部分集合（５４）の中の区別可能な色の数は、前記入力色（４７）の前記第二の部分集合（５３）の中の区別可能な色の数より大きいか、これと等しい、
請求項１〜７の何れか１項に記載の顕微鏡検査方法。
【請求項９】
前記入力色（４７）の前記第二の部分集合（５３）は、その補色主波長（Ｋ１、Ｋ２）が５１０ｎｍ〜５７０ｎｍにあり、その色点が、境界がＣＩＥ  １９７６  ＵＣＳ  ｕ’ｖ’色度図の６２０ｎｍ〜７００ｍｍ及び４３０ｎｍ〜４７０ｎｍのスペクトル軌跡（Ｓ）によって、その終点がＣＩＥ  １９７６  ＵＳＣ  ｕ’ｖ’色度図のスペクトル軌跡（Ｓ）上の６２０ｎｍ及び４７０ｎｍの波長のスペクトル色の色点に対応する接続直線によって、及びその終点がＣＩＥ  １９７６  ＵＣＳ  ｕ’ｖ’色度図のスペクトル軌跡（Ｓ）上の４３０ｎｍ及び７００ｎｍの波長のスペクトル色の色点に対応する接続直線によって定められる色空間領域（３９）の中にある色を含む、請求項８に記載の顕微鏡検査方法。
【請求項１０】
前記色変換関数は、前記入力色（４７）の第三の部分集合（５７、６１）を前記出力色（４９）の第三の部分集合（５９、６１）にマッピングし、前記出力色（４９）の前記第三の部分集合（５９、６１）の中の区別可能な色の数は、前記入力色（４７）の前記第三の部分集合（５７、６１）の中の区別可能な色の数より少ない、
請求項１〜９の何れか１項に記載の顕微鏡検査方法。
【請求項１１】
前記色変換関数は、前記入力光の前記第三の部分集合の複数の色を、前記出力色の前記第三の部分集合の１つの同じ出力色にマッピングする、
請求項１０に記載の顕微鏡検査方法。
【請求項１２】
前記入力色（４７）の前記第三の部分集合（５７、６１）は、その補色主波長（Ｋ１、Ｋ２）が５１０ｎｍ未満又は５７０ｎｍを超え、その色点が、境界がＣＩＥ  １９７６  ＵＣＳ  ｕ’ｖ’色度図の６２０ｎｍ〜７００ｍｍ及び４３０ｎｍ〜４７０ｎｍのスペクトル軌跡（Ｓ）によって、その終点がＣＩＥ  １９７６  ＵＳＣ  ｕ’ｖ’色度図のスペクトル軌跡（Ｓ）上の６２０ｎｍ及び４７０ｎｍの波長のスペクトル色の色点に対応する接続直線によって、及びその終点がＣＩＥ  １９７６  ＵＣＳ  ｕ’ｖ’色度図のスペクトル軌跡（Ｓ）上の４３０ｎｍ及び７００ｎｍの波長のスペクトル色の色点に対応する接続直線によって定められる色空間領域（３９）内にある色を含む、
請求項１０又は１１に記載の顕微鏡検査方法。
【請求項１３】
前記色変換関数は、前記入力色（４７）を前記出力色（４９）に、区別可能な出力色の数が区別可能な入力色の数より少なくなるようにマッピングする、
請求項１〜１２の何れか１項に記載の顕微鏡検査方法。
【請求項１４】
前記第一のカラー画像は、前記第一の色域（３３）に属するが前記第二の色域（３７）には属さない色を含む、
請求項１〜１３の何れか１項に記載の顕微鏡検査方法。
【請求項１５】
前記第一のカラー画像は、その色点が、境界がＣＩＥ  １９７６  ＵＣＳ  ｕ’ｖ’色度図の６２０ｎｍ〜７００ｍｍ及び４３０ｎｍ〜４７０ｎｍのスペクトル軌跡（Ｓ）によって、その終点がＣＩＥ  １９７６  ＵＳＣ  ｕ’ｖ’色度図のスペクトル軌跡（Ｓ）上の６２０ｎｍ及び４７０ｎｍの波長のスペクトル色の色点に対応する接続直線によって、及びその終点がＣＩＥ  １９７６  ＵＣＳ  ｕ’ｖ’色度図のスペクトル軌跡（Ｓ）上の４３０ｎｍ及び７００ｎｍの波長のスペクトル色の色点に対応する接続直線によって定められるＣＩＥ  １９７６  ＵＣＳ  ｕ’ｖ’色度図の色空間領域（３９）に属する色を含む、
請求項１〜１４の何れか１項に記載の顕微鏡検査方法。
【請求項１６】
前記照明光（７）を、その４００ｎｍ〜４３０ｎｍの平均透過率（２６）が少なくとも５０％であり、その４７０ｎｍ〜７００ｎｍの平均透過率（２６）が多くとも１％である照明フィルタ（５）によりフィルタ処理するステップと、
前記照明された物体（１０）から出て前記カラーイメージセンサ（１７）へと案内された光を、その４００ｎｍ〜４３０ｎｍの平均透過率（２７）が多くとも１％であり、その４７０ｎｍ〜７００ｎｍの平均透過率（２７）が少なくとも５０％である観察フィルタ（２１）によりフィルタ処理するステップと、
をさらに含む、請求項１〜１５の何れか１項に記載の顕微鏡検査方法。
【請求項１７】
前記蛍光色素は、励起後に、可視波長範囲の、特に６００ｎｍ〜７５０ｎｍの波長範囲の蛍光を生成する、
請求項１〜１６の何れか１項に記載の顕微鏡検査方法。
【請求項１８】
前記入力色（４７）は、ＣＩＥ  １９７６  ＵＳＣ  ｕ’ｖ’色度図内の曲線又は直線（４８）上にあり、及び／又は
前記出力光（４９）は、ＣＩＥ  １９７６  ＵＳＣ  ｕ’ｖ’色度図内の曲線又は直線（５０）上にある、
請求項１〜１７の何れか１項に記載の顕微鏡検査方法。
【請求項１９】
前記色変換関数は、前記入力色（４７）を前記出力色（４９）に、前記出力色（４９）の彩度がほぼ同じであるようにマッピングする、
請求項１〜１８の何れか１項に記載の顕微鏡検査方法。
【発明の詳細な説明】
【技術分野】
【０００１】
本発明は、蛍光発光物体を観察するための顕微鏡検査方法に関する。
【背景技術】
【０００２】
従来の顕微鏡検査方法では、物体が照明光で照明される。照明光は、物体中の蛍光色素を励起させるのに適している。蛍光は照明光の一部を吸収し、その結果、蛍光を発する。
【０００３】
従来、物体から出た光は、蛍光及び反射された照明光を含み、顕微鏡検査光学ユニットにより像面に結像される。例えば、像面は物体を観察する眼の網膜とすることができる。代替的に、物体の画像を記録できる写真センサを像面内に設置できる。記録された画像は処理でき、表示装置上にレンダリングできるため、観察者は記録された（処理された）物体の画像を見ることができる。
【０００４】
最初に記した、顕微鏡検査光学ユニットが物体を眼の網膜上に直接結像する変形型は、アナログ顕微鏡と呼ばれる。二番目に記した、顕微鏡検査光学ユニットが物体を写真センサに結像し、これによって記録された画像が表示装置にレンダリングされる変形型は、デジタル顕微鏡と呼ばれる。デジタル顕微鏡の場合に限って生じる問題は、写真センサと表示装置がそれぞれ、同じ色空間領域（色域と呼ばれる色）を記録し、レンダリングできないことである。したがって、写真センサにより記録された画像の色を、記録された画像に含まれる情報を表示装置により適当にレンダリング可能となるようにするために、どのように調整できるか、又はしなければならないかという課題が生じる。
【０００５】
この問題は、とりわけ病変組織と健全組織とを区別するために使用される顕微鏡検査方法の場合に特に重要である。例えば、蛍光色素であるプロトポルフィリンＩＸ（ＰｐＩＸ）は腫瘍性組織を標識するために使用される。この蛍光色素は腫瘍性、すなわち病変組織内に蓄積される。ＰｐＩＸが蓄積した組織を、ＰｐＩＸを励起させるのに適した照明光で照明すると、発せられた蛍光に基づいて病変組織を識別することができる。
【０００６】
病変組織をその周囲の健全組織の中で観察できるようにするために、従来、反射した照明光の一部も像面に結像される。したがって、像面内に生成された物体の画像は、大まかにいえば、照明光と蛍光との混合から得られる色しか含んでいない。
【０００７】
しかしながら、病変組織と健全組織との区別は、画像のある領域が、反射光と蛍光の、ほぼ等しく重み付けされた混合である色を有する場合、特に難しい。一般に、デジタル顕微鏡が記録できる色空間はアナログ顕微鏡により表現される色空間より小さいため、デジタル顕微鏡が使用されると、区別はより困難となる。
【発明の概要】
【発明が解決しようとする課題】
【０００８】
本発明の目的は、アナログ顕微鏡から知られた色彩印象をできるだけ維持しながらも、約３８０ｎｍ〜７５０ｎｍの可視波長範囲内の蛍光を発することのできる蛍光色素を使って健全組織と病変組織をよりよく差別化できるデジタル顕微鏡のための顕微鏡検査方法を提供することである。
【課題を解決するための手段】
【０００９】
本発明による顕微鏡検査方法は、物体を照明光で照明し、物体中の蛍光色素を励起して発光させるステップと、カラーイメージセンサによって照明された物体の第一のカラー画像を記録するステップと、記録された第一のカラー画像に基づいて物体の第二のカラー画像を生成するステップと、第二のカラー画像を表示装置により表現するステップと、を含む。例えば、蛍光色素はプロトポルフィリンＩＸとすることができる。
【００１０】
カラーイメージセンサは、画像の記録に適している。カラーイメージセンサは、記録された画像を表す未加工画像データを生成する。例えば、未加工画像データは複数のピクセルを含み、その各々に数値トリプレット（例えば、赤、緑、青の未加工の色に関する数値トリプレットであり、以下、これをＲＧＢ数値トリプレットと呼ぶ）が割り当てられる。
【００１１】
第一のカラー画像は、未加工データに校正ルールを当てはめることにより生成される。第一のカラー画像は複数のピクセルを含み、その各々に第一の色域からの色が割り当てられる。色域は、限定された色群を指す。したがって、あるピクセルは第一のカラー画像の中のある位置を表し、第一のカラー画像は第一の色域の色のみを有する。第一の色域は、校正ルールにより設定される。
【００１２】
第一のカラー画像のピクセルに割り当てられる第一の色域の色又はこれらの色の色点は、たとえばＲＧＢ数値トリプレット（未加工画像データ）に校正マトリクスを乗じることによって得られる。そこから、色空間でこの色を一意的に定義する第一の色域の色又は色点が、各ＲＧＢ数値トリプレットから特定される。
【００１３】
例えば、校正ルールは、既知の色及び既知の照明による試験ターゲットを利用して特定される。ここで、校正ルールは、校正ルールが試験ターゲットの未加工画像データに、その既知の色に対応する色を割り当てるように特定される。ここで、校正ルールは、特に関係の深い色が特に高い精度でマッピングされるように特定できる。例えば、校正ルールは、プロトポルフィリンＩＸの励起と発光において支配的な色が特に高い精度で第一の色域の色にマッピングされるように特定できる。
【００１４】
第二のカラー画像はピクセルを含み、その各々に色が割り当てられる。第二のカラー画像の色、すなわち第二のカラー画像のピクセルに割り当てられた色は、第二の色域に属する。第二の色域は、第二のカラー画像のレンダリングに使用される表示装置の色域である。したがって、表示装置は、第二の色域の色のレンダリングに適している。特に、表示装置は、第二の色域の色をレンダリングすることだけに適しており、すなわち、表示装置は、第二の色域に属さない色は表現できない。
【００１５】
本発明によれば、第二のカラー画像は第一のカラー画像に基づいて生成される。特に、第二のカラー画像を生成するステップは、第二のカラー画像のピクセルにおける色を、第一のカラー画像の、それに対応するピクセルの色に色変換関数を適用することによって特定するステップを含む。第一及び第二のカラー画像の中の対応するピクセルは、物体の同じ位置を表す。
【００１６】
色変換関数は、入力色を出力色にマッピングする。これは、出力色が、変換関数が入力色に適用されることによって得られることを意味する。色変換関数は第一のカラー画像の色（入力色）に適用され、その結果、第二のカラー画像の色（出力色）が得られる。例えば、第二のカラー画像の第一のピクセルにおける色は、第一のカラー画像の、第二のカラー画像の第一のピクセルに対応するピクセルであるピクセルの色に色変換関数を適用することによって特定され、第二のカラー画像の第二のピクセルにおける色は、第一のカラー画像の、第二のカラー画像の第二のピクセルに対応するピクセルであるピクセルの色に色変換関数を適用することによって特定され、等々である。
【００１７】
色変換関数は、後述の特性のうちの１つ又は複数を有していてよい。
【００１８】
色変換関数は、第一の色域に属するが第二の色域には属さない入力色を、第二の色域に属する出力色にマッピングすることができる。この場合、カラーイメージセンサは、これらの色が第一の色域（カラーイメージセンサ）に属するが第二の色域（表示装置）には属さないため表示装置ではレンダリングできない色を記録することができる。色変換関数は、このような色を第二の色域（表示装置）に属する色にマッピングする。したがって、第一の色域に属するが第二の色域には属さない色で符号化された情報項目を、それにも関わらず表示装置によって第二のカラー画像の中でレンダリングすることが可能となる。
【００１９】
色変換関数は、入力色の第一の部分集合を色相保持型方式で出力色の第一の部分集合にマッピングできる。これは、入力色と、色変換関数をこの入力色に適用することによって得られる出力色とが、実質的に同じ色相を有することを意味する。したがって、色変換関数は、入力色の第一の部分集合を出力色の第一の部分集合に色相保持型方式でマッピングでき、色相保持型マッピングは、入力色が出力色に実質的に同じ色相でマッピングされることを特徴とする。
【００２０】
特に、入力色の第一の部分集合は、第一の色域に属するが第二の色域には属さない色（だけを）含む。特に、出力色の第一の部分集合は、第二の色域に属する色（だけを）含む。
【００２１】
色相保持型マッピングの定義の発展形によれば、色相保持型マッピングは、入力色を出力色に、ＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ：Ｉｎｔｅｒｎａｔｉｏｎａｌ  Ｃｏｍｍｉｓｓｉｏｎ  ｏｎ  Ｉｌｌｕｍｉｎａｔｉｏｎ（国際照明委員会）のフランス語）１９７６  ＵＣＳ（Ｕｎｉｆｏｒｍ  Ｃｏｌｏｒ  Ｓｃａｌｅ（均等色空間））ｕ’ｖ’色度図における出力色の色点の、所定の白色点（例えば、白色点Ｄ５０）の色点と入力色の色点を通る直線からの距離が、限界の２０倍以下、特に限界の１０倍以下、又は限界の３倍以下であるようにマッピングし、この限界Δｕ’ｖ’ｌｉｍｉｔは０．００３である。限界Δｕ’ｖ’ｌｉｍｉｔは、ＣＩＥ  １９７６  ＵＣＳ  ｕ’ｖ’色度図内の距離を定義し、これは、
【数１】
2020118690.tif 000003
として定義され、式中、ｕ’１，ｖ’１は第一の色の色点のＣＩＥ  １９７６  ＵＣＳ  ｕ’ｖ’色度図における座標であり、ｕ’２，ｖ’２は第二の色の色点の座標である。
【００２２】
所定の白色点の色点と入力色の色点を通る直線に沿った色は、標準的観察者により同じ色相の色として認識される。２つの色は、色距離がΔｕ’ｖ’≦０．００３であると、標準的な観察者には区別できない。
【００２３】
色相保持型マッピングの定義の発展形によれば、色相保持型マッピングはさらに、入力色を出力色に、ＣＩＥ  １９７６  ＵＣＳ  ｕ’ｖ’色度図における出力色の色点が第二の色域の縁辺と所定の白色点及び入力色の色点を通る直線との交点であるようにマッピングする。したがって出力色は、ｄｅｓａｔｕｒａｔｉｏｎ（彩度低下）ができるだけ小さく（白色点からの距離が長い）、それでも入力色と実質的に同じ色相を有する。
【００２４】
色相保持型マッピングは、第一のカラー画像の中の、病変及び健全組織間の区別に関して特に重要な意味を有する色に特に適している。具体的には、これらは、主として反射した照明光により生成される色、主に蛍光により生成される色、及び反射された照明光と蛍光との、ほぼ等しく重み付けされた混合により生成される色である。これらの色と色相保持型マッピングは、参照色により規定される。
【００２５】
色変換関数は、少なくとも１つの入力色を色相保持型方式でマッピングでき、前記入力色の色点はＣＩＥ  １９７６  ＵＣＳ  ｕ’ｖ’色度図において参照色の色点から０．２以下、特に０．１５以下、さらに特に０．１以下の距離を有する。したがって、１つ／複数の色は色相保持型方式でマッピングされ、ＣＩＥ  １９７６  ＵＣＳ  ｕ’ｖ’色度図内のその色点は、参照色の色点の付近にある。
【００２６】
例えば、参照色は、ＣＩＥ  １９７６  ＵＣＳ  ｕ’ｖ’色度図において、座標ｕ’ｒｅｆ，ｖ’ ｒｅｆの色点を有し、これは
【数２】
2020118690.tif 000004
により定義されることができ、式中、ｘ，ｙはＣＩＥ  １９３１標準色度図の座標を表し、これは、
【数３】
2020118690.tif 000005
により定義されることができ、式中、Ｘ、Ｙ、ＺはＣＩＥ  １９３１標準色値系の三刺激値を表し、これは
【数４】
2020118690.tif 000006
により定義されることができ、式中、Ａ（λ）は波長依存測光量を表し、
【数５】
2020118690.tif 000007
はＣＩＥ  １９３１標準色値系のスペクトル値関数を表し、ｋは定数を表す。波長λにわたる積分は、３８０ｎｍ〜７８０ｎｍで積分される。
【００２７】
第一のケースにおいて、測光量Ａ（λ）は、照明光のスペクトルと照明フィルタの透過率及び観察フィルタの透過率の積を表す。この場合、参照色は物体の非蛍光位置において反射された照明光の色の近似である。この参照色の座標は、ｕ’ＮＦ，ｖ’ＮＦとされる。
【００２８】
第二のケースにおいて、Ａ（λ）は、蛍光色素の発光スペクトルと観察フィルタの透過率の積を表す。この場合、参照色は物体の強い蛍光位置で観察できる色の近似である。この参照色の座標は、ｕ’Ｆ，ｖ’Ｆとされる。
【００２９】
第三のケースにおいて、参照色はその色点の座標ｕ’Ｍ，ｖ’Ｍにより定義され、ｕ’Ｍはｕ’Ｆとｕ’ＮＦの算術平均であり、ｖ’ Ｍはｖ’Ｆとｖ’ＮＦの算術平均である。この場合、参照色は、反射された照明光と蛍光との、ほぼ等しく重み付けされた混合により生成される色の近似である。
【００３０】
以下の参照色はＰｐＩＸにとって特に有意義である。
【００３１】
例えば、参照色は、４２５ｎｍ〜４６０ｎｍの波長のスペクトル色に対応する。特に、参照色は、４３０ｎｍ又は４５５ｎｍの波長のスペクトル色に対応できる。スペクトル色はスペクトル軌跡上にある。したがって、第一のカラー画像の、反射された照明光により主に生成される色は、第二のカラー画像の色へと色相保持型方式でマッピングされる。
【００３２】
例えば、参照色は６３５ｎｍの波長のスペクトル色に対応する。したがって、第一のカラー画像の、約６３５ｎｍの蛍光により主に生成される色は、第二のカラー画像の色へと色相保持型方式でマッピングされる。
【００３３】
さらに、色変換関数は、少なくとも１つの入力色を色相保持型方式でマッピングでき、前記入力色は４９５ｎｍ〜５７５ｎｍ、特に５１０ｎｍ〜５７０ｎｍ、さらに特に５４０ｎｍ〜５６０ｎｍの補色主波長を有する。したがって、第一のカラー画像の、反射された照明光と蛍光の、ほぼ等しく重み付けされた混合により生成される色は、第二のカラー画像の色へと色相保持型方式でマッピングされる。
【００３４】
限定的な色の集合は、補色主波長を特定することによって一意的に定義される。これは、そのＣＩＥ  １９７６  ＵＣＳ  ｕ’ｖ’色度図における色点が白色点（例えば、白色点Ｄ５０）と純紫軌跡との間の直線上にある色に関し、前記直線は、白色点の色点と補色主波長のスペクトル色の色点を通る。
【００３５】
色変換関数は、入力色の第二の部分集合を出力色の第二の部分集合にマッピングでき、出力色の第二の部分集合の中の区別可能な色の数は、入力色の第二の部分集合の中の区別可能な色の数より大きいか、これと等しい。入力色の第二の部分集合が占める色空間領域は、出力色の第二の部分集合が占める色空間領域より小さい。
【００３６】
その結果、第一のカラー画像の中の病変組織と健全組織との区別にとって重要な色は、第二のカラー画像の中で、第一のカラー画像よりよく区別できる色によりレンダリングされる。
【００３７】
代替的な定義によれば、色変換関数は、入力色の第二の部分集合を出力色の第二の部分集合に、出力色の第二の部分集合の相互に最も近い色の色点間の距離の平均値が、入力色の第二の部分集合の相互に最も近い色の色点間の距離の平均値より大きいか、それと等しくなるような方法でマッピングする。
【００３８】
代替的な定義によれば、色変換関数は、入力色の第二の部分集合を出力色の第二の部分集合に、出力色の第二の部分集合の中の区別可能な色の数が入力色の第二の部分集合の中の区別可能な色の数より大きくなるようにマッピングできる。
【００３９】
特に、入力色の第二の部分集合は、次の２つの条件を満たす色（だけを）含む：第一に、これらの色の補色主波長は５１０ｎｍ〜５７０ｎｍにある。第二に、これらの色の色点は、支配的な色空間領域の中にある。支配的な色空間領域は、その境界がＣＩＥ  １９７６  ＵＣＳ  ｕ’ｖ’色度図上の６２０ｎｍ〜７００ｎｍ及び４３０ｎｍ〜４７０ｎｍのスペクトル軌跡によって、その終点がＣＩＥ  １９７６  ＵＣＳ  ｕ’ｖ’色度図のスペクトル軌跡上の６２０ｎｍ及び４７０ｎｍのスペクトル色の色点に対応する接続直線によって、及びその終点がＣＩＥ  １９７６  ＵＣＳ  ｕ’ｖ’色度図のスペクトル軌跡上の４３０ｎｍ及び７００ｎｍのスペクトル色の色点に対応する接続直線によって定められる。
【００４０】
したがって、入力色の第二の部分集合は、反射された照明光と蛍光との、ほぼ等しく重み付けされた混合により蛍光色素のＰｐＩＸについて予想される色を含む。
【００４１】
励起光又は蛍光の何れかによって支配される色は、病変組織と健全組織との区別にとって重要ではない。ピクセルの色が励起光により支配される場合、この位置が健全な組織に関係していると容易に判断できる。ピクセルの色が蛍光により支配される場合、この位置が病変組織に関係していると容易に判断できる。したがって、その評価が重要ではない色は、第二のカラー画像の中では、第一のカラー画像内より少ない（区別可能な）色によって、又は小さい色空間領域によって表現できる。
【００４２】
したがって、色変換関数は、入力色の第三の部分集合を出力色の第三の部分集合にマッピングでき、出力色の第三の部分集合の中の区別可能な色の数は、入力色の第三の部分集合の中の区別可能な色の数より少ない。
【００４３】
代替的な定義によれば、色変換関数は、入力色の第三の部分集合を出力色の第三の部分集合に、出力色の第三の部分集合の相互に最も近い色の色点間の距離の平均値が入力色の第三の部分集合の相互に最も近い色の色点間の距離の平均値より小さくなるようにマッピングできる。
【００４４】
代替的な定義によれば、色変換関数は、入力色の第三の部分集合を出力色の第三の部分集合に、出力色の第三の部分集合の中の区別可能な色の数が入力色の第三の部分集合の中の区別可能な色の数より少なくなるようにマッピングできる。
【００４５】
このようにして、出力色の第三の部分集合の色が占める色空間領域は、入力色の第三の部分集合の色が占める色空間領域と比較して縮小される。
【００４６】
特に、色変換関数は、入力色の第三の部分集合の複数の色を、出力色の第三の部分集合の、１つの同じ出力色にマッピングできる。その結果、異なる色の入力色の数が色変換関数によって１つの同じ出力色にマッピングされる。その結果、出力色の色空間領域の中の領域が「節約」され、それゆえに、その領域を出力色の第二の部分集合に使用できる。
【００４７】
特に、入力色の第三の部分集合は、以下の２つの条件を満たす色（だけを）含む：第一に、これらの色の補色主波長は５１０ｎｍ未満又は５７０ｎｍを超える。第二に、これらの色の色点は、上で定義した支配的な色空間領域内にある。
【００４８】
色変換関数は、入力色を出力色に、区別可能な出力色の数が区別可能な入力色の数より少なくなるようにマッピングできる。
【００４９】
第一のカラー画像は、第一の色域に属するが第二の色域には属さない色を含むことができる。特に、第一のカラー画像は、その色点が支配的な色空間領域内にある色（だけを）含むことができる。
【００５０】
ＰｐＩＸが使用される場合、特に、顕微鏡検査方法は、照明光を、その４００ｎｍ〜４３０ｎｍの平均透過率が少なくとも５０％であり、その４７０ｎｍ〜７００ｎｍの平均透過率が多くとも１％である照明フィルタによりフィルタ処理するステップと、照明された物体から出てカラーイメージセンサへと案内された光を、その４００ｎｍ〜４３０ｎｍの平均透過率が多くとも１％であり、その４７０ｎｍ〜７００ｎｍの平均透過率が少なくとも５０％である観察フィルタによりフィルタ処理するステップと、をさらに含んでいてもよい。
【００５１】
照明フィルタにより、照明光は主として、ＰｐＩＸを励起させるのに適した波長を有する。特に、物体に当たる照明光はＰｐＩＸ発光のスペクトル範囲で非常に低い強度を有し、そのため、蛍光は反射されたこの波長の照明光により圧倒されない。
【００５２】
観察フィルタは、物体で反射された照明光の大部分を遮断し、主として、ＰｐＩＸが蛍光を発する波長で高い透過率を有する。
【００５３】
しかしながら、照明フィルタと観察フィルタは、反射された照明光の少量が観察フィルタを通過し、蛍光物体領域の周囲も観察できるような方法で相互にマッチされる。
【００５４】
照明フィルタと観察フィルタからなる上述のフィルタ群が適用されると、第一のカラー画像は実質的に、その色点が支配的な色空間領域内にある色だけを有する。
【００５５】
蛍光色素は、励起後、可視波長範囲、特に６００ｎｍ〜７５０ｎｍの波長範囲の蛍光を生成するのに適している可能性がある。
【００５６】
特別な実施形態によれば、入力色はＣＩＥ  １９７６  ＵＣＳ  ｕ’ｖ’色度図内の曲線又は直線上にあり、及び／又は出力色はＣＩＥ  １９７６  ＵＣＳ  ｕ’ｖ’色度図内の曲線又は直線上にある。
【００５７】
色変換関数は、入力色を出力色に、出力色の彩度がほぼ同じとなるようにマッピングできる。例えば、彩度は、第一の距離と第二の距離の比と定義でき、第一の距離は、白色点の色点の、出力色の色点からの距離を示し、第二の距離は、白色点の色点と入力色の色点との間の距離を示し、これは色変換関数により出力色にマッピングされる。特に、色変換関数は、入力色を出力色に、出力色の彩度の相互の差が２０％以下、好ましくは１０％以下、又は５％以下となるようにマッピングする。
【００５８】
例えば、本明細書に記載の観察フィルタと照明フィルタは、干渉フィルタとして実施されてよい。干渉フィルタは、異なる光学特性、例えば異なる屈折率を有する材料の複数の層を含む。各層は、異なる厚さを有することができる。フィルタの要求事項に応じて、層の数は数百の間であってよい。各層の厚さと光学特性の特定の選択により、本明細書に記載の透過率を実現できる。
【００５９】
所定の波長依存透過率に基づいてフィルタの層の厚さと光学特性を特定する補助的な手段が知られている。このような層の連続体の設計は、使用される材料の光学特性（波長に応じた屈折率及び吸収、分散）と所望の透過率スペクトル又は反射スペクトルを入力データとして使用するシミュレーションプログラムで実行できる。シミュレーションプログラムは、シミュレートされた透過率スペクトル又は反射スペクトル及び層の順序又は層の厚さ並びに、使用される光学特性又は材料を出力する。計算は、反復式に行うことができる。これによって、複雑な要求事項のあるフィルタ、例えばマルチバンドフィルタの設計と製造さえも可能となる。
【００６０】
本発明の実施形態を、図面を参照しながら以下により詳しく説明する。図中：
【図面の簡単な説明】
【００６１】
【図１】顕微鏡検査システムの略図を示す。
【図２】蛍光色素ＰｐＩＸの正規化された吸収スペクトルと発光スペクトルの略図を示す。
【図３】照明フィルタ及び観察フィルタの透過率の略図を示す。
【図４】第一及び第二の色域、支配的な色空間領域、並びに補色の概念を説明するためのＣＩＥ  １９７６  ＵＣＳ  ｕ’ｖ’色度図の略図を示す。
【図５】色変換関数の特性を説明するためのＣＩＥ  １９７６  ＵＣＳ  ｕ’ｖ’色度図の略図を示す。
【図６】色変換関数の他の特性を説明するためのＣＩＥ  １９７６  ＵＣＳ  ｕ’ｖ’色度図の略図を示す。
【発明を実施するための形態】
【００６２】
図１は、蛍光観察のための顕微鏡検査システム１の略図を示す。顕微鏡検査システム１は照明装置２を含む。照明装置２は、光源３と、照明光学ユニット４と、照明フィルタ５と、を含み、これは照明光学ユニット４により形成される照明ビーム経路６に選択的に出し入れできる。図１において、このことは両矢印により示されている。照明装置２は、光源３と照明フィルタ５により照明光７を生成でき、前記照明光７を物体領域８へと向けることができる。例えば、光源３は狭帯域発光ダイオードであり、これは４００ｎｍ〜４５０ｎｍの光を発する。
【００６３】
顕微鏡検査システム１は、照明装置２を制御するように構成されたコントローラ９を含む。
【００６４】
照明装置２は、照明光７を照明ビーム経路６によって物体領域８へと向け、前記物体領域には、蛍光色素が事前に付加された物体１０を設置することができる。物体１０に供給された蛍光色素は、物体１０のある領域に多量に蓄積する（蛍光領域）。例えば、これらの領域は腫瘍細胞を含み、蛍光色素がこれと結合する。物体１０のその他の領域では、蛍光色素は蓄積しないか、又は少量しか蓄積しない（非蛍光領域）。例えば、これらの領域は腫瘍細胞を含まない。例えば、蛍光色素はプロトポルフィリンＩＸ（ＰｐＩＸ）である。
【００６５】
顕微鏡検査システム１は顕微鏡検査光学ユニット１１をさらに含み、これはこの例では対物レンズ１２とその他のレンズ１３及び１４を含む。顕微鏡検査光学ユニット１１は物体領域８、特に物体面１５を像面１６に結像するように構成される。この例では、顕微鏡検査システム１のカラーイメージセンサ１７の検出面は、像面１６内に設置される。カラーイメージセンサ１７は、カラーイメージセンサ１７により記録されるカラー画像を表す信号１８を出力する。カラーイメージセンサ１７はコントローラ９に接続され、コントローラ９は、カラーイメージセンサ１７により出力された信号１８をそこから受信する。コントローラ９は、カラーイメージセンサ１７により生成された画像を処理することができ、前記画像を表示装置１９上に表示することができる。
【００６６】
顕微鏡検査光学ユニット１１は観察ビーム経路２０を提供し、これは物体面１５を像面１６に結像する。観察フィルタ２１は、観察ビーム経路２０に選択的に出し入れすることができ、このことは両矢印により示されている。
【００６７】
図２は、ＰｐＩＸの波長依存吸収スペクトル２３とＰｐＩＸの波長依存発光スペクトル２４の略図を示し、これらはそれぞれの最大値に正規化されている。蛍光色素ＰｐＩＸは、３５０ｎｍ〜４３０ｎｍの波長範囲で効率的に励起できる。蛍光色素ＰｐＩＸは、約４０５ｎｍで吸収の極大を有する。蛍光色素ＰｐＩＸは、約６００ｎｍ〜７５０ｎｍのスペクトル範囲の蛍光を発し、発光強度の第一極大は６３５ｎｍにあり、第二極大は約７０５ｎｍにある。
【００６８】
図３は、照明フィルタ５の透過率２６と観察フィルタ２１の透過率２７の略図を示す。
【００６９】
照明フィルタ５の透過率２６は、約３５０ｎｍ〜約４３０ｎｍでほぼ１００％である。透過率２６は、４３０ｎｍ〜４７０ｎｍで１％未満に低下し、可視波長範囲の長波長端まで１％未満のままである。
【００７０】
観察フィルタ２１の透過率２７は、約３５０ｎｍ〜４３０ｎｍで１％未満であり、約４３０ｎｍ〜４７０ｎｍでほぼ１００％まで増大し、可視波長範囲の長波長端までほぼ１００％のままである。
【００７１】
これによって、ＰｐＩＸを効率的に励起させることができ、約６００ｎｍ〜７５０ｎｍの蛍光を効率的に観察できる。さらに、物体１０の蛍光領域の周辺を観察することができ、それは、４３０ｎｍ〜４７０ｎｍの波長の照明光が、物体１０で反射されると、観察フィルタ２１を十分な程度まで透過するからである。したがって、透過率２６の照明フィルタ５と透過率２７の観察フィルタ２１を適用した場合、４３０ｎｍ〜４７０ｎｍ及び６００ｎｍ〜７５０ｎｍの波長範囲の光が主にカラーイメージセンサ１７に当たる。したがって、カラーイメージセンサ１７により記録されるカラー画像は、青及び赤色とその混合により支配される。この支配的な色空間領域は図４において色空間領域３９として示されている。
【００７２】
図４は、ＣＩＥ  １９７６  ＵＣＳ  ｕ’ｖ’色度図の略図を示す。その中には、スペクトル軌跡Ｓと純紫軌跡Ｐがプロットされ、これらが共同で標準的な観察者にとって見える色群を画定している。標準的な観察者にとって見える色は、その境界がｕ’ｖ’平面のスペクトル軌跡Ｓと純紫軌跡Ｐにより画定される領域内にある色点を有する。
【００７３】
×印は、白色点Ｗの色点、例えば白色点Ｄ５０の色点を示す。
【００７４】
実線を使って示されている三角形３１は、第一の色域３３の縁辺を表す。第一の色域３３は、その色点が三角形３１によってカバーされる、すなわち三角形３１の中にあるか、又は三角形３１の縁辺上にあるすべての色の群を示す。カラーイメージセンサ１７（図１参照）は、第一の色域３３の色を記録するのに適している。したがって、カラーイメージセンサ１７により記録されるカラー画像は、第一の色域３３の色（だけを）含んでいてよい。
【００７５】
点線を使って示されている三角形３５は、第二の色域３７の縁辺を表す。第二の色域３７は、その色点が三角形３５によってカバーされる、すなわち三角形３５の中にあるか、又は三角形３５の縁辺上にあるすべての色の群を示す。表示装置１９（図１参照）は、第二の色域３７の色をレンダリングするのに適している。したがって、表示装置１９によりレンダリングされるカラー画像は、第二の色域３７の色（だけを）含んでいてよい。
【００７６】
この例では、第二の色域３７の三角形３５（表示装置）は第一の色域３３の三角形３１（カラーイメージセンサ）の中に完全に含まれる。これは、表示装置１９が第一の色域３３の一部しか表示できないことを意味する。一般に、第一の色域３３と第二の色域３７は相互に異なる。
【００７７】
ＰｐＩＸの蛍光観察では、その色点が支配的な色空間領域３９の中にあるすべての色が特に関心対象となる。図４において、支配的な色空間領域３９の境界は破線で画定される。支配的な色空間領域３９の境界は、ＣＩＥ  １９７６  ＵＣＳ  ｕ’ｖ’色度図の６２０ｎｍ〜７００ｎｍ及び４３０ｎｍ〜４７０ｎｍのスペクトル軌跡によって、その終点がＣＩＥ  １９７６  ＵＣＳ  ｕ’ｖ’色度図のスペクトル軌跡上の６２０ｎｍ及び４７０ｎｍの波長のスペクトル色の色点に対応する接続直線によって、及びその終点がＣＩＥ  １９７６  ＵＣＳ  ｕ’ｖ’色度図のスペクトル軌跡上の４３０ｎｍ及び７００ｎｍの波長のスペクトル色の色点に対応する接続直線によって画定される。
【００７８】
色群は、それらの補色主波長により画定できる。図４に示される約５７０ｎｍでの補色主波長Ｋ１は、白色点Ｗの色点と純紫軌跡Ｐとの間のその色点が、白色点Ｗと波長Ｋ１のスペクトル色の色点を通る直線Ｇ１に沿ってある色群を表す。図４に示される約５１０ｎｍでの別の補色主波長Ｋ２は、白色点Ｗの色点と純紫軌跡Ｐとの間のその色点が、白色点Ｗの色点と波長Ｋ２のスペクトル色の色点を通る直線Ｇ２に沿ってある色群を表す。
【００７９】
その色点が支配的な色空間領域３９内にあり、さらに５１０ｎｍ〜５７０ｎｍの補色主波長を有する色は、ＰｐＩＸが使用されたときに病変組織と健全組織との区別にとって特に重要であり、図４では影付き領域４１で表されている。
【００８０】
その色点が色空間領域３９内にあり、さらに５１０ｎｍ未満又は５７０ｎｍより大きい補色主波長を有する色は、ＰｐＩＸが使用されたときに病変組織と健全組織との区別にとって容易に区別でき、図４では領域４３及び４５で表されている。
【００８１】
図５は、ＣＩＥ  １９７６  ＵＣＳ  ｕ’ｖ’色度図の略図を示す。色変換関数の様々な特性を、図５を参照して説明する。
【００８２】
色変換関数は、入力色４７を出力色４９にマッピングする。例えば、色変換関数は、線４８により表される入力色４７を線５０により表される出力色４９にマッピングする。線４８は、色変換関数によりマッピングされる色群を表す。線５０は、色変換関数により入力色４７がマッピングされる先となる色群を表す。線４８、５０は、直線とすることも、曲線とすることもできる。
【００８３】
入力色４７は、第一の色域３３に含まれるが第二の色域３７には含まれない。出力色４９は、第二の色域３７に含まれる。したがって、この例の色変換関数は、第一の色域３３に属するが第二の色域３７には属さない入力色４７を第二の色域３７に属する出力色４９にマッピングする。
【００８４】
図５に示される色変換関数は、その他の特性を有する。線４８により表される入力色４７の第一の部分集合５１は、色変換関数により、線５０により表される出力色４９の第一の部分集合５２に色相保持型方式でマッピングされる。黒丸、黒三角、及び黒ひし形で表される入力ラベルは、入力色の第一の部分集合５１を形成する。したがって、入力色の第一の部分集合５１は３つの色を含み、その色点は黒丸、黒三角、及び黒ひし形で表される。
【００８５】
黒丸で表される入力色は、色変換関数により白丸で表される出力色にマッピングされる。黒三角で表される入力色は、色変換関数により、白三角で表される出力色にマッピングされる。黒ひし形で表される入力色は、色変換関数により、白ひし形で表される出力色にマッピングされる。
【００８６】
例えば、色相保持型マッピングは、入力色４７（黒丸、黒三角、黒ひし形）が出力色４９（白丸、白三角、白ひし形）に、ＣＩＥ  １９７６  ＵＣＳ  ｕ’ｖ’色度図内の出力色４９（白丸、白三角、白ひし形）の色点が、白色点Ｗの色点と入力色４７（黒丸、黒三角、黒ひし形）の色点を通る直線から所定の限界値より短い距離を有するようにマッピングされる、という方法で規定される。
【００８７】
したがって黒丸で表される入力色は、その色点が直線Ｇ３上にある色に（ほぼ）マッピングされ、直線Ｇ３は白色点Ｗの色点と黒丸で表される入力色の色点を通過し、黒三角で表される入力色は、その色点が直線Ｇ４上にある色に（ほぼ）マッピングされ、直線Ｇ４は白色点Ｗの色点と黒三角で表される入力色の色点を通過し、黒ひし形で表される入力色は、その色点が直線Ｇ５上にある色に（ほぼ）マッピングされ、直線Ｇ５は白色点Ｗの色点と黒ひし形で表される入力色の色点を通過する。
【００８８】
図５に示される例において、色相保持型マッピングは、出力色（白丸、白三角、白ひし形）の色点が第二の色域３７の縁辺３５とそれぞれに対応する直線Ｇ３、Ｇ４、Ｇ５との交点であるように行われる。
【００８９】
図６は、色変換関数のその他の特性を説明するためのＣＩＥ  １９７６  ＵＣＳ  ｕ’ｖ’色度図の略図を示す。
【００９０】
色変換関数によるマッピング中の入力色の第二の部分集合５３又は入力色の第三の部分集合５７、６１の「伸張」及び「圧縮」を、図６を参照して説明する。
【００９１】
図４において影付きで表される色空間領域４１の色は、病変組織と健全組織の区別にとって特に重要である。したがって、色変換関数は、線４８により表される入力色４７の第二の部分集合５３（第二の部分集合５３は、その色点が線４８上の黒四角と黒×印との間にある色を含む）を線５０により表される出力色４９の第二の部分集合５４（出力色の第二の部分集合５４は、その色点が線５０上の白四角と白×印との間にある色を含む）に、（線５０上の白四角と白×印との間の）出力色の第二の部分集合５４の中の区別可能な色の数が、（線４８上の黒四角と黒×印との間の）入力色の第二の部分集合５３の中の区別可能な色の数より多くなるようにマッピングすることができる。
【００９２】
矢印５５は、色変換関数により行われるマッピングを表す。重要な色、すなわち、入力色の第二の部分集合５３の色の「伸張」は、入力色の第二の部分集合５３の最も近い色間の距離（又はその距離の平均値）が出力色の第二の部分集合５４の相互に最も近い色間の距離（又はその距離の平均値）より小さいことによって認識できる。
【００９３】
図４において表される色空間領域４３及び４５は、これらが容易に評価できるため、病変組織と健全組織の区別にとって重要ではない。したがって、色変換関数は、線４８により表される入力色の第三の部分集合５７、６１（第三の部分集合５７、６１は、その色点が線４８上の黒ひし形と黒×印との間の及び黒四角と黒丸との間にある色を含む）を線５０により表される出力色の第三の部分集合５９、６３（出力色の第三の部分集合５９、６３は、その色点が線５０上の白ひし形と白×印との間及び白四角と白丸との間にある色を含む）に、出力色の第三の部分集合５９、６３の中の区別可能な色の数が、入力色の第三の部分集合５７、６１の中の区別可能な色の数より少なくなるようにマッピングすることができる。
【００９４】
色変換関数による入力色の第三の部分集合５７、６１の色の「圧縮」は、入力色の第三の部分集合５７、６１の最も近い色間の距離（又は距離の平均値）が、出力色の第三の部分集合５９、６３の相互に最も近い色間の距離（又は距離の平均値）より大きいことによって認識できる。
【符号の説明】
【００９５】
５  照明フィルタ
７  照明光
１０  物体
１７  カラーイメージセンサ
１９  表示装置
３３  第一の色域
３７  第二の色域
３９  色空間領域
４７  入力色
４９  出力色
５１  入力色の第一の部分集合
５２  出力色の第一の部分集合
５３  入力色の第二の部分集合
５４  出力色の第二の部分集合
５７、６１  入力色の第三の部分集合
Ｓ  スペクトル軌跡
Ｗ  白色点
【図１】
2020118690.tif 000008
【図２】
2020118690.tif 000009
【図３】
2020118690.tif 000010
【図４】
2020118690.tif 000011
【図５】
2020118690.tif 000012
【図６】
2020118690.tif 000013
【外国語明細書】
2020118690000001.pdf